【誤訳訂正書】
【提出日】平成19年6月5日(2007.6.5)
【誤訳訂正１】
【訂正対象書類名】特許請求の範囲
【訂正対象項目名】全文
【訂正方法】変更
【訂正の内容】
【特許請求の範囲】
【請求項１】
無線で無線接続ネットワークと通信する少なくとも１つの通信ユニットと、パケット交換ネットワークと通信する前記無線接続ネットワークと、少なくとも１つのクライアントと通信する前記パケット交換ネットワークとを備える無線通信システムにおいて、前記通信ユニットを含む終点と少なくとも１つのクライアントのうちのクライアントとの間の通信が確立された時に、無線接続ネットワークと少なくとも１つの通信ユニットのうちの通信ユニットとの間の無線インタフェイスを最適化するための方法であって：
前記無線接続ネットワークによって、終点のうちの第１の終点からの、前記終点間で交換された通信方式の指定を受信する工程と；
前記無線接続ネットワークによって、前記無線インタフェイスを前記通信方式に基づいて最適化する工程と、を備える方法。
【請求項２】
前記終点のうちの第１の終点によって、前記終点間における通信用の前記通信方式を判定する工程と；
前記第１の終点によって、前記通信方式を前記無線ネットワークに伝達する工程と、から更になる請求項１に記載の方法。
【請求項３】
前記無線インタフェイスを前記通信方式に基づいて最適化する工程が；
前記通信方式に基づいて最適誤り訂正法を選択する工程からなる請求項１に記載の方法。
【請求項４】
前記通信方式に基づいて無線インタフェイスを最適化する工程が；
前記無線接続ネットワークによって、前記通信方式に基づいてパケットヘッダを圧縮及び解凍するための手順を実施する工程を備える請求項１に記載の方法。
【請求項５】
請求項１に記載の方法を実施するための、コンピュータが実行可能な命令を保存した、コンピュータに読込可能な媒体。
【請求項６】
無線で無線接続ネットワークと無線インターフェイスを介して通信する、少なくとも１つの通信ユニットと、パケット交換ネットワークと通信する前記無線接続ネットワークと、少なくとも１つのクライアントと通信する前記パケット交換ネットワークとを備える無線通信システムにおいて、少なくとも１つの通信ユニットのうちの通信ユニットを備える終点と前記少なくとも１つのクライアントのうちのクライアントが通信を交換し、前記無線接続ネットワークの一部分を形成する装置であって；
前記終点のうちの第１の終点からの、前記終点間で交換された通信方式の指定を受信する手段と；
受信するための前記手段と結合されて、前記無線インタフェイスを前記通信方式に基づいて最適化するための手段、を備える装置。
【請求項７】
前記通信方式がソースエンコーダ方式に関する情報を含む、請求項６に記載の装置。
【請求項８】
最適化の手段が；
前記通信方式に基づいて最適誤り訂正法を選択するための手段、を更に含む請求項６に記載の装置。
【請求項９】
前記最適化のための手段は：
前記無線接続ネットワークによって、前記通信方式に基づくパケットヘッダを圧縮及び解凍するための手段を含む請求項６に記載の装置。
【請求項１０】
無線で無線接続ネットワークと通信する、少なくとも１つの通信ユニットと、パケット交換ネットワークと通信する前記無線接続ネットワークと、少なくとも１つのクライアントと通信する前記パケット交換ネットワークとをを備える無線通信システムにおいて、前記通信ユニットを含む終点と前記少なくとも１つのクライアントのうちのクライアントとの間の通信が確立された時に、前記無線接続ネットワークと少なくとも１つの通信ユニットのうちの通信ユニットとの間の無線インタフェイスを最適化するための方法であって：
前記終点のうちの第１の終点によって、前記終点間で交換された通信用の前記通信方式を判定する工程と；
前記第１の終点によって、前記通信方式を無線接続ネットワークに伝達する工程であって、前記無線接続ネットワークが、前記無線インタフェイスを前記通信方式に基づいて最適化すること、を備える方法。
【請求項１１】
前記通信方式がソースエンコーダ方式に関する情報を含む、請求項１０に記載の方法。
【請求項１２】
請求項１０に記載の方法を実施するための、コンピュータが実行可能な命令を保存した、コンピュータに読込可能な媒体。
【誤訳訂正２】
【訂正対象書類名】明細書
【訂正対象項目名】全文
【訂正方法】変更
【訂正の内容】
【発明の詳細な説明】
【発明の名称】無線インタフェイスの伝送パラメータの通信方式に基づいた最適化
【技術分野】
【０００１】
本発明は、一般に無線通信システムに関し、特に通信システム内の無線インタフェイスの通信方式に基づいた最適化に関するものである。
【背景技術】
【０００２】
無線通信システムは、当技術分野で周知である。従来の無線通信システムにおいて、リアルタイムサービスが通常、少なくとも１つの専用無線資源と連動した回路交換インフラストラクチャを使用して実施されている。しかし産業界における現在の主流は、無線通信システムによる、パケット交換方式と言われているインフラストラクチャの利用である。特に、インターネットプロトコル（ＩＰ）の利用は、業界標準になりつつある。パケット交換技術が、音声や、ビデオ通信のようなリアルタイムサービスを支援できると期待される内は、あらゆるシステムにおける基本設計の制約は、無線（もしくは空気中伝播）インタフェイスの効率であろう。このため、パケット交換技術に用いられる追加のスイッチングオーバーヘッドは、無線インタフェイスを介しては伝送できないと、長い間考えられてきた。この効率を改善するために、パケット交換形式で表されたデータが空中を伝送される場合、ヘッダも一緒に取り除かれ、もしくは圧縮される。さらに、種々の形式のソースエンコーダが、様々なレベルの誤り抵抗を有する符号化情報をもたらすことは、当技術分野では周知である。その結果、エンコーダの出力の特定部分は、他の部分ほど厳密にエラー保護されておらず、従って、無線インタフェイスの総合的な効率を改善する機会になる。
【０００３】
現在の通信システムにおいて、無線加入者、もしくは通信ユニットは、通常、無線、もしくは無線接続ネットワーク（ＲＡＮ）で通信し、この無線接続ネットワークは次に、インフラストラクチャの一部を形成する、パケット交換ネット―ワークと通信する。通信ユニットの対象は、インターネットやワールド・ワイド・ウェブのような、中間パケット交換方式ネットワークを介してパケット方式ネットワークに結合されたクライアントであることが多い。上述の、無線インタフェイスを最適化する機会を活用するために、無線接続ネットワークは、所与の通信のために送受信されるデータの特定の形式の知識を持つ必要がある。この様にして、無線接続ネットワークは、無線通信ユニットを用いた無線インタフェイスの最適化の仕方について知ることになる。しかし現状のシステムにおいては、無線接続ネットワークは、無線接続ネットワークの動作における不変の「ハードコードされた」ような知識を有していない。最大の柔軟性を維持し、最適化された空中インタフェイスの長所を得るために、通信ユニットとインフラストラクチャとの間が分離した無線通信用に、無線接続ネットワークに通信方式を伝達するための方法を提供することは有用である。
【発明の開示】
【発明が解決しようとする課題】
【０００４】
本発明は、通信ユニットとネットワークベースのクライアントとの間の通信方式に関して、無線接続ネットワークに伝達するための方法を提供する。この情報に基づき、無線接続ネットワークは、無線接続ネットワークと通信ユニットとの間の無線インタフェイスを最適化できる。その結果、通信のいずれかの終点は、無線接続ネットワークの通信方式の情報を与える。
【課題を解決するための手段】
【０００５】
好ましい実施例において、伝達する終点とは、通信ユニット自体、もしくはクライアントである。あるいは、伝達する終点は、通信ユニットの代わりに動作するプロキシ、あるいはクライアントの代わりに動作するコールサーバである。さらに、通信方式は、通信中に用いられる、ソースエンコーダについての情報によって具現化される。無線インタフェイスの最適化は、最適誤り訂正法によって、または、通信を構成する、複数のパケット交換部分と関連したヘッダの圧縮、解凍によって実施されるのが好ましい。無線接続ネットワーク内に配置されたネットワーク構成要素は、無線インタフェイスを通信方式に基づいて最適化するために用いられる。
【発明を実施するための最良の形態】
【０００６】
本発明は、下記に示す図１−８を参照することにより、さらに容易に理解できる。ここで図１に、無線通信システム１００を示す。特に、無線通信システム１００は、無線接続ネットワーク１０４を用いた無線通信において、複数の携帯加入者、または通信ユニット１０２からなる。無線接続ネットワーク１０４は、順次、パケット交換ネットワーク１０６に結合され、それ自体はインターネットプロトコル（ＩＰ）に基づくネットワーク１０８に結合される。複数のクライアント１１０は、ＩＰネットワーク１０８へ結合される。無線接続ネットワーク１０４は、図に示すように、回路交換ネットワーク１１６へ任意結合される。
【０００７】
通信ユニット１０２は、１つ以上の無線チャンネル１１２を介した、無線接続ネットワーク１０４を用いた通信が可能な、携帯、もしくは移動可能装置（車載用、あるいは携帯用ラジオ、あるいは無線電話のような）からなるのが好ましい。無線チャンネル１１２は、符号分割多重アクセス方式（ＣＤＭＡ）、周波数分割多元アクセス方式（ＦＤＭＡ）、あるいは時分割多重アクセス方式（ＴＤＭＡ）のような様々な周知のプロトコル、アクセス法を使用する、１つ以上の無線周波数（ＲＦ）チャンネルからなるのが好ましい。図３により詳細を述べるように、無線接続ネットワーク１０４は、通信ユニットを用いる無線通信を管理するインフラストラクチャの要素を含んでいる。図1に示すように、無線接続ネットワーク１０４は、無線接続ネットワークの動作に寄与する、１つ以上のネットワーク構成要素１１４を含む。通信ユニット１０２に関連して、無線接続ネットワーク１０４は、無線チャンネル１１２を介して無線インタフェイスを実施し、それによって、通信ユニット１０２は無線接続ネットワーク１０４と通信でき、同様に図１に示すような様々なパケット交換ネットワークとＩＰネットワークと通信できる。
【０００８】
パケット交換ネットワーク１０６は、以下の図３を参照して更に詳細に説明されるが、パケットネットワーク内全域のデータルーチングを効率化するためにヘッダを使用することが特徴である。当技術分野で周知のように、このようなパケット交換ネットワークは、従来の回路交換ネットワークに比べて利用可能資源が有効利用できる。何故ならば通信資源は、通信の期間中、特定の通信に委ねられない。同様に、ＩＰネットワーク１０８は、インターネットやワールド・ワイド・ウェブで、一般的に用いられる方式のパケット交換を基本としたネットワークである。従って、クライアント１１０は、当技術分野で周知のＩＰプロトコルを終端処理をすることのできるコンピュータ装置を含む。通信ユニット１０２が、クライアント１１０の通信に使用された時、通信ユニットか、クライアントいずれかが通信の終点とみなされる。従来の第１、第２世代通信システムにおいて、符号器／復号器（符号化）装置は、通常、通信の終点内でハードコードされた。例えば、多くの陸上、携帯無線通信システムの音声圧縮コーデックは、無線インタフェイスを介して伝送された音声データのスペクトル効率を最大化するために用いられる。当該システムにおいて、単音声コーデックが提供されたので、通信ユニットと無線接続ネットワークとの間の無線インタフェイスは、単一源コーデック形式に、厳密に最適化される。しかし、リアルタイムサービスの到来とともに、ＩＰ電話（ＶｏＩＰ）のような、ありとあらゆる、様々なソース符号器が、所与の通信に用いられる。無線接続ネットワークにより提供される無線インタフェイス自体は、特定の通信のために選択されたソースエンコーダのためには最適化されない。
【０００９】
結局、本発明は、無線接続ネットワークに所与の通信の通信方式を伝達して、無線接続ネットワークが次に無線インタフェイスを最適化できるようにするための技術を提供する。図２を参照して、同図のフローチャートは、本発明に示された工程を示したものである。図２に示す工程は、保存されたコンピュータで実行可能な命令を用いて実行されるのが好ましく、そしてその実行可能な命令は、適切なプラットフォーム内の適合プロセッサによって実行される。このような実現技術は、当技術分野で周知である。従って、区画２０２において、通信の終点は、通信方式を判定する。一般に、通信方式は、ネットワーク構成要素が無線インタフェイスを最適化する方法を判定するのに十分な情報を含んでいる。好ましい実施例において、通信方式は、通信中に用いられるソース符号器の方式によって指定される。通常、通信中に用いられるソース符号器の方式は、サービス方式によって決定され、呼出し設定中、はっきりと（もしくは暗黙に）要求される。例えば、通信ユニットの特殊なクラスを用いた、音声のみの通信のために、ある音声符号器、例：ＧＳＭネットワークにおけるＧＳＭフルレート・コーデック、が用いられる。反対に、ビデオデータのみで構成する適応ビデオ符号器には、例：Ｈ．２６３、もしくはＭＰＥＧ２．０コーデック、が用いられる。多重符号器の組合せが、音声とビデオデータで構成する通信の場合に用いられることが可能である。呼出し中、選択されたソースエンコーダを変更することも可能である。それにも関わらず、本発明は、これらの方法を制御することができる。終点は、通信ユニット、もしくはクライアントの代わりに動作する様々な成分も含んでいることに留意すべきである。図３以下に更に示すように、無線プロキシ、およびコールサーバのような装置は、通信ユニット、および／あるいは、クライアントの代わりに用いられる。
【００１０】
それにも関わらず、区画２０４において、通信のための通信方式を判定した終点は、この通信方式を無線接続ネットワークに伝達する。これは、明確な、あるいは暗黙いずれかのメッセージ伝達方法を利用して達成される。明確なメッセージ伝達方法の場合、新しいメッセージが生成される、あるいは、既存のメッセージは、例えば、追加プロトコル層、あるいは既存プロトコル層の増加を介して、無線接続ネットワークへの通信方式を指定する情報を含むように修正される。従って、例えば、通信ユニットは、無線接続ネットワークに通信方式を伝達する終点であり、新しいメッセージは、無線接続ネットワークと通信するための通信ユニットによって用いられるプロトコル内で生成され、その無線接続ネットワークのメッセージは、通信方式についての情報を含む。ある状況下において、通信ユニットは、原則的に通信ユニットに接続されている装置用の無線モデムとして動作し、その装置は、実際の通信の終点であることを留意すべきである。この場合、通信ユニットは、必要に応じて、接続された装置によって、通信方式が伝達される。あるいは、クライアント、もしくはクライアントの代わりに動作するコールサーバが、無線接続ネットワークに通信方式を伝達する終点として動作する場合、クライアント（あるいはコールサーバ）と無線接続ネットワーク（あるいは代わりとなるエージェント）との間の、適応プロトコル内で定義された明確なメッセージが追加される。以下の図３に詳細に説明するように、パケット交換網１０６は、無線接続ネットワーク１０４の代わりに動作する無線エージェントを含み、その無線エージェントは、クライアント、あるいはコールサーバから明確なメッセージを受信するために指定され、続いて、無線接続ネットワークに通信方式を伝達する。
【００１１】
代わりの実施例において、無線接続ネットワークへの終点によって送信される明確なメッセージとしてよりも、指定は、終点を介して無線接続ネットワークに送信される情報に、自然に含まれる。この代わりの実施例を、以下の図４−８に詳述する。通常、この潜在法（ｉｍｐｌｉｃｉｔ  ｍｅｔｈｏｄｓ）は、無線インタフェイスを最適化すべく使われるのに最適な方法を指定するために、それぞれのパケットデータ内に、十分な情報の存在することが特徴である。
【００１２】
一旦、無線接続ネットワークが、通信方式を知らされた場合、それは、区画２０６において、無線接続ネットワークと特定の通信ユニットとの間の通信方式情報に基づいた通信と関連して無線インタフェイスを最適化し得る。好ましい本実施例において、最適化は、２つの方法の一方、あるいは両方によって達成される。第１に、最適誤り訂正法は、無線インタフェイスのために通信方式に基づいて選ばれる。周知のように、特定のソースエンコーダによるデータ出力は、データ転送中に挿入されるエラーに対するさまざまな度合いの感度を有する。例えば、特定の音声コーデックが出力パラメータを提供し、その出力パラメータは、他のパラメータはチャンネルエラーに敏感に反応するが、チャンネルエラーに対して、比較的反応が鈍くなる。これらのパラメータを無線インタフェイス上に伝送する際に、スペクトル効率を最大限化するために、チャンネルエラーに対して敏感に反応するビットのエラーをより強く保護することは、周知であり、チャンネルエラーに対してそれ程感度が大きくないパラメータは、あまり保護されない、あるいは全く保護されない。この方式の選択性エラーの符号化は、使用されているソースエンコーダに依存するので、本発明は、無線接続ネットワークが、通信方式の認識に基づき、最適化された誤り符号化法を選択できる。このような認識は予め決められており、この場合、無線接続ネットワークは、終点の１つによって提供される通信方式に基づく、所定の誤り訂正法を使用することを認識する。さらに一般的な方法においては、無線接続ネットワークは、必要に応じて自由にデータに適用できる、様々なレベルのエラー保護のみの認識を有する。従って、エラー保護の適正レベルは、付与パケット内の異なる量のパラメータの認識のみに基づき、そのパケットは、それぞれの種類のエラー感度内で提供される。前述の図２に示したコンセプトの具体例を、図３−８に更に示す。
【００１３】
第２の最適化法において、パケットヘッダ圧縮／解凍が用いられる。この方法は、当技術分野で周知であり、ヴァン・ヤコブセン（Ｖａｎ  Ｊｏｃｏｂｓｅｎ）のヘッダ圧縮を含む。あるいは、既知の方法を再使用することにより、ヘッダは、送信側で一緒に廃棄され、そして通信の受信側で再構成される。ヘッダの廃棄、および再構成については、同時係属出願している米国特許出願第０９／８８７，８３１号に更に詳述されており、本願に引用して援用されている。それにも関わらず、圧縮／解凍、もしくは除去／復元方法が、無線インタフェイスを介して、送信されるデータ量が最小化されるので、スループットとバンド幅の利用効率は向上する。
【００１４】
図３は、ユニバーサル・モバイル・テレコミュニケーション・システム（ＵＭＴＳ）モデルに基づく無線通信システム３００を示す。無線通信システム３００は、基地局システム３０２、３０８、無線ネットワークシステム３０４、３０６、およびコアネットワーク３１０で構成される。コアネットワーク３１０は、ＩＰネットワーク３１２に結合され、ＩＰネットワーク３１２は、次に、１つ以上のクライアント、および１つ以上のコールサーバ３１６に結合される。複数の通信ユニット３２８は、基地局システム３０２、３０８、および／または、無線ネットワークサブシステム３０４、３０６と交信する。図３に示すそれぞれの要素は、当技術分野で既知であり、かつ規定された機能を有する。さらに、本発明の目的のために、図３に示すそれぞれの要素は、当技術分野で周知のソフトウェアのアルゴリズムを実施するのに適したプロセッサと記憶装置とからなる。
【００１５】
同図から、各基地局システム３０２、３０８は、１つ以上の基地受信システム３２２へ結合されている、基地局コントローラ３２０を備える。当技術分野で周知のように、基地局コントローラ３２０は、基地受信システム３２２の動作を制御し、そのシステムは、次に、本発明による無線インタフェイスを実施するために用いられる１つ以上の無線受信機を備える。同様に、各無線ネットワークシステム３０４、３０６は、１つ以上のノード３２６へ結合されている無線ネットワークコントローラ３２４を備える。各ノード３２６は、基本的に、１つ以上のサービスエリア内の無線送受信に対応する装置の論理表現である。次に、無線ネットワークコントローラ３２４は、対応するノードによって表される無線資源の使用とインテグリティを制御する。
【００１６】
コアネットワーク３１０は、右側に示したパケット交換部（ＰＳ）と、左側に示した回路交換部（ＣＳ）とを備えることが望ましい。図３に示すように、基地局システム３０２、３０８は、コアネットワーク３１０のパケット交換部と結合されても、またはコアネットワーク３１０の回路交換部に結合されてもよい。逆に、各無線ネットワークサブシステム３０４、３０６は、コアネットワーク３１０のパケット交換部、回路交換部両方へ結合されてもよい。当技術分野で周知のように、コアネットワーク３１０のパケット交換部は、通常、複数の支持ノードを備える。特に、図３に示すように、サービング・サポート・ノード（ＳＧＳＮ）３３０は、ゲートウェイ・サポート・ノード（ＧＧＳＮ）３３２へ提供され、かつ結合される。ＳＧＳＮは、そのＳＧＳＮによって登録される各通信ユニットのためのパケット交換サービスを実施するために必要な加入情報と位置情報を保存する。ＧＧＳＮ３３２は、ＩＰネットワーク３１２から受信し、かつ、通信ユニット３２８の１つになるはずの、パケットデータトラフィックをルーチングするのに必要な加入情報と経路情報を保存する。コアネットワーク３１０の回路交換部において、移動切替センタ３３４は、通信ユニット３２８を出入りする回路交換サービスを制御するための機能を実行する。本発明は、コアネットワークの回路交換部の動作に影響しないし、影響されないことを留意されたい。
【００１７】
本発明との関連において、基地局システム３０２、３０８、あるいは無線ネットワークサブシステム３０４、３０６は、システム３００の無線接続ネットワーク部分を構成する。更に、基地局コントローラ３２０と基地局受信システム３２２、あるいは無線ネットワークコントローラ３２４とノード３２６は、前述の図２に示すような、無線接続ネットワークによる機能を実施するのに適したネットワーク構成要素を備える。ＳＧＳＮ３３０は、無線接続ネットワークの代わりに動作する無線エージェントとしての役割も果たす。前述のように、明確なメッセージ伝達方法を用いることにより、通信ユニット３２８、あるいは通信ユニット３２８の代わりに動作する無線プロキシ３３６、３１８のような終点は、通信方式の指定を、直接基地局システム３０２、３０８、あるいは無線ネットワークシステム３０４、３０６へ送信する。あるいは、クライアント３１４、もしくはクライアント３１４の代わりに動作するコールサーバ３１６は、明確なメッセージを、適切な基地局システム３０２、３０８、あるいは無線ネットワークサブシステム３０４、３０６の代わりのサービング・サポート・ノード３３０へ送信する。図３に示すように、無線プロキシ３３６は、ＳＧＳＮ３３０、あるいはＩＰネットワーク３１２へ結合される。無線プロキシとコールサーバの主な用途において、通信ユニットは、付与されたクライアントとの交信を確立するために無線プロキシと交信する。従って無線プロキシは、通信を確立するためにクライアントの代わりとして動作するコールサーバと交信する。通信が、無線プロキシとコールサーバによって確立されると、通信ユニットとクライアントは、通信を制御できる。通信ユニットとクライアントとの間の通信を確立するために使われているメカニズムとは無関係に、暗黙または明確なメッセージ伝達方法は、前述のように、ＲＡＮに伝達するために用いられ得る。現存のプロトコルの改良に基づく暗黙のメッセージ伝達方法の例を、図４−８に更に示す。
【００１８】
図４において、同図は、従来技術によるプロトコルスタックを示している。図４、５および７は、オープン・システム・インタコネクト（ＯＳＩ）モデルのコンセプトに基づいており、そのモデルにおいて、各プロトコル層は、層の直下を用い、層の直上へ機能を提供する。図４に示すプロトコルスタックは、通常、コアネットワーク内に配置されるコーデックと、無線ネットワークコントローラとの間において交換され、故に、いわゆるＩｕインタフェイス部分を形成する。コーデックによって生成されるデータフレームを備えるコーデックプロトコル４０２は、プロトコルスタック内の最も高いレベルを専有する。実際には、コーデックプロトコル４０２は、無線ネットワークコントローラを透過的に通過し、通信ユニット内のコーデックによって遮断される。フレームプロトコル４０４は、フレーム形式によるデータパケットを生成し、コアネットワーク内のコーデックと無線ネットワークコントローラとの間の通信をサポートする。データリンク層と物理層に対応する、より低いプロトコル層４０６、４０８は、それぞれがＯＳＩモデル内で指定され、周知の方法で提供される。
【００１９】
例えば、コアネットワーク３１０から、ＧＧＳＮ３３２を介して、ＩＰネットワーク３１２へ、のようなコアネットワークのパケット交換部分の他方では、図５に示すようなプロトコルスタックが使用され得る。前述のように、コーデックプロトコル５０２は、プロトコルスタック内の最も高いレベルを専有する。この場合、コーデックプロトコル５０２は、通信ユニット内のコーデックによって作成され、パケット交換ネットワーク上に存在するクライアントによって終端されるデータフレームを構成する。コーデックにより生成されたフレームは、リアルタイム・プロトコル（ＲＴＰ）層／ユーザ・データグラム・プロトコル（ＵＤＰ）層／ＩＰ封入層５０４によって封入される。ＲＴＰ層／ＵＤＰ層／ＩＰ層封入は、データがＩＰネットワークを通って伝送される場合に、適切に送信される。図４に示すように、より低いプロトコル層５０６、５０８は、必要に応じて再供給される。
【００２０】
通常の先行技術によるコーデックフレーム形式を、図６に更に示す。特に、図６に示すフレーム形式は、従来の回路交換システムに見られる特徴である。本発明のために、図６のフレーム形式は、付与された通信と対応するサブフローの概念を示している。この場合、Ｉｕインタフェイスの一部分を形成する使用者レベルプロトコルヘッダ６０２は、どの通信が特定のサブフロー６０４−６０８のセットに属するか、すなわち、どの通信ユニットがこの通信を確立したかを示す。各サブフローは、様々なレベルのエラー感度に対応するので、様々なレベルの必要なエラー保護に対応するのが望ましい。例えば、音声を符号化するために用いられるアダプティブ・マルチレート（ＡＭＲ）コーデックにおいて、３つの異なるエラー保護層がある。サブフローの構想は、無線接続ネットワークへの通信方式の暗黙の指定を提供する手段として、本発明によって活用される。
【００２１】
図７は、本発明によるプロトコルスタックを示している。特に、図５に示すプロトコルスタックと類似して、図７のプロトコルスタックは、コアネットワークとＩＰネットワークとの間の通信をサポートする。従って、コーデックプロトコル層７０２は、ＲＴＰ層／ＵＤＰ層／ＩＰ層７０４によってＲＴＰ層／ＵＤＰ層／ＩＰ層ヘッダ情報内に再封入される。しかし、いわゆる拡張フレームプロトコル層７０６は、ＲＴＰ層／ＵＤＰ層／ＩＰ層７０４とそれより低い層７０８、７１０との間に入れられる。図８に更に示す拡張フレームプロトコル層７０６は、パケット・バイ・パケット理論のもと、フレーム形式に関する追加サブフローとして、ＲＴＰ層／ＵＤＰ層／ＩＰ層の封入８０２に特有な情報を通信する。さらに、コーデックプロトコル７０２の一部分を形成する各サブフロー内に含まれるデータの特徴を示す、サブフロー記述子８０４−８０８も含まれる。この知識を用いて、無線接続ネットワークは、拡張フレームプロトコル層で受信すると、無線インタフェイスを介して伝送されるデータのための誤り訂正を最適化し得る。この様にして、無線接続ネットワークは、通信方式を通知され、それによって、無線インタフェイスを最適化する。ここで留意すべきは、図７、８に示された方法は、当業者が理解できる様に、本発明による暗黙の伝言方法は、多くの可能な実施例の１つに過ぎなく、限定ではなく一例として提供されるということである。
【００２２】
本発明は、通信の終点、あるいは代わりになる他の存在が、終点間における通信方式に関して無線接続ネットワークに伝達し、それによって無線接続が無線インタフェイスを最適化する方法を提供している。従来のシステムと比べて、本発明は、そのような各サービスが、最適な方法で無線インタフェイス上にてサポートされる保証がある間、提供されるサービスの種類に関して、より大きな柔軟性を持ち得る。
【００２３】
前述の明細書で、本発明を具体的な実施例を用いて説明してきた。しかし、当業者は、様々な改良と変更が、以下の請求項に説明する本発明の範囲を逸脱することなく成され得ることを正しく理解できるであろう。さらに、明細書および図は、限定的な意味というより説明するためであり、そのような改良すべては、本発明の範囲内であることを目的とする。
【００２４】
利点、他の優位性、および問題解決方法を、上述の具体的な実施例について説明してきた。しかしながらこれは、利点、優位性、問題解決方法、及びあらゆる利点、優位性、あるいは、解決方法が生じる、または深まる原因となる、あらゆる要素は、全ての請求項の決定的に重要な、必要な、または本質的な特徴としては構築されていない。ここで使用されている、「構成する」、「備える」、あるいは他のあらゆる表現方法は、構成要素のリストを構成する工程、方法、項目、あるいは装置が、構成要素のみを含むだけでなく、明確に記載されていない、あるいはこのような工程、方法、項目あるいは装置が本来備わっている、他の構成要素も含むことについて、包括的に範囲が及ぶことを目的とする。
【図面の簡単な説明】
【００２５】
【図１】本発明による、無線通信システムのブロックダイヤグラム。
【図２】本発明の実施例による、無線通信システムの動作を示したフローチャート。
【図３】本発明による、ユニバーサル・モバイル・テレコミュニケーション・システムと呼ばれている技術に基づく、無線通信システムのブロックダイヤグラム。
【図４】従来技術による、プロトコルスタックとフレーム形式の図。
【図５】従来技術による、プロトコルスタックとフレーム形式の図。
【図６】従来技術による、プロトコルスタックとフレーム形式の図。
【図７】本発明による、プロトコルスタックの例図。
【図８】本発明による、フレーム形式の例図。
【誤訳訂正３】
【訂正対象書類名】図面
【訂正対象項目名】図２
【訂正方法】変更
【訂正の内容】
【図２】
2005522941.tif 000001